(57)【要約】【課題】  従来、風胴付き送風機では、吐出口側に風胴を配し、風胴内に、複数枚の静翼板を内設した静翼を取付ける。風胴の内面に、静翼の外郭体を支持する。しかし、外郭体が、風胴の内面に突出するので、送風の邪魔（抵抗物）となる。風胴内の内面近傍での乱流発生と、又は風胴内の送風の流速（速度）・風量等の低下と、また、騒音発生の要因となる。よって、改良が要望されている。【解決手段】  本発明は、送風機の吐出口側に設けた静翼付の風胴を設けるとともに、静翼を、風胴内面に空間を設けて支持し、空間は、風胴に送り込まれた風の道として活用可能とする。ファンの風を、静翼で整流し、かつ風の風量が収束する風胴の内面に、静翼の外郭体（抵抗物）を無くし、大きな送風量を確保しつつ、かつ整流を壊すことなく（風の乱気流発生を回避し）、風胴より整流風を吐出できる。整流風を、遠方に向かって送風できる。【選択図】      図１
2016217306.tif 000002
【特許請求の範囲】
【請求項１】
送風機の吐出口側には風胴を設けるとともに、この風胴に静翼を設け、この静翼の外郭体と、前記風胴の内面との間に空間を形成し、この空間は、この風胴に送り込まれた風の道となる構成とした静翼付き送風機の風胴と静翼構造。
【請求項２】
前記静翼は、前記外郭体と、この外郭体に設けた複数の静翼板とで構成した請求項１に記載の静翼付き送風機の風胴と静翼構造。
【請求項３】
送風機の吐出口側に風胴を支持する構造は、この送風機のガードに係止する支持具を、前記風胴の外面に設けるとともに、この支持具の折曲り係止部が、この風胴の放射方向に突出し、この突出した係止部を、ガードの線材に係止、かつ支持可能とする構成した請求項１に記載の静翼付き送風機の風胴と静翼構造。
【請求項４】
前記係止部を係止する線材は、ガードの最大外形寸法を備える構成とした請求項３に記載の静翼付き送風機の風胴と静翼構造。
【請求項５】
前記送風機を支持する吊り金具を、前記ガードに取付ける構造であって、この送風機の重心位置にある線材に取付けるとともに、前記ガードの最大外形寸法の線材より、放射方向に突出する構成とした請求項３に記載の静翼付き送風機の風胴と静翼構造。
【発明の詳細な説明】
【技術分野】
【０００１】
本発明は、静翼付き送風機（静翼付き撹拌扇、静翼付きファン、静翼付き循環扇）の風胴（ドラム）と静翼構造に関する。
【背景技術】
【０００２】
従来、この種の送風機において、その吐出口側（吹出口側）に風胴を配し、この風胴内に、複数枚の静翼板を内設した静翼を取付ける。その通常の構造は、風胴の内面（内側）に、静翼の環状外郭体を支持する。その理由は、例えば、簡便性と作業の容易化等の観点からと考えられる。
【０００３】
しかし、この環状外郭体は、風胴の内面に突出する。この突出した外郭体の厚みが、例えば、風胴内の送風の邪魔（抵抗物）となる。例えば、風胴内の内面近傍での乱流発生と、又は風胴内の送風の流速（速度）・風量等の低下と、その他吐出方向への風の流れにおいて、悪影響を与えること、等の問題を抱えている。また、騒音発生の要因となる。従って、これらの改良が要望される状況となってきた。
【０００４】
また、ノズルの風胴（外筒）内に、環状外郭体（内筒）を設ける構造に関して、特開２００９−２５７１４３号公報（文献（１））に記載の「気流ノズル」がある。しかしながら、この発明は、内外筒の構造であるが、発明の名称の如く、「ノズル」であり、静翼付送風機ではない。
【０００５】
次に、送風機の風胴に内筒を設けた構造に関して、実開昭４９−５０８１０号公報（文献（２））に記載の「軸流送風機」とかにおいて、知られている。しかしながら、この考案は、内外筒の間に静翼を設けた構造であり、内筒には、静翼がなく、遠方への送風には、課題を残している。尚、内筒を収れんし、遠方への送風を意図するが、それ程の効果は期待できないものと考えられる。また、この考案は、静翼を、外筒内面と内筒外面との間に設けた構造であり、かつ静翼のピッチを異にするが、静翼効果と内筒の収れん効果とが、十分に機能していないと考えられる。
【０００６】
【特許文献１】特開２００９−２５７１４３号公報
【特許文献２】実開昭４９−５０８１０号公報
【発明の概要】
【発明が解決しようとする課題】
【０００７】
従来の如く、風胴の内面に、静翼の外郭体を取付ける構造では、前述した、外郭体が抵抗物となり、例えば、乱流発生と、又は風胴内を流れる風の流速・風量等と、その他吐出方向への風の流れにおいて、悪影響を与えること、等が考えられる。
【０００８】
また、従来の文献では、遠方への送風を意図した工夫が、随所に設けられているが、整流の生成に関する配慮、及び／又は、整流の生成に関しては、必ずしも、十分とは考えられない。また、整流の生成と、送風の遠方への送達を、十分で、かつ正確に達成するには、更なる改良が考えられる。
【課題を解決するための手段】
【０００９】
前記改良を解消し、さらに有効性を確保しつつ、翼（ファン）の風を、静翼で整流することと、この風の風量が収束する風胴の内面に、抵抗物、例えば、従来の静翼の外郭体を無くし、ファンの風を、効率的に、かつ整流を壊すことなく、風胴より吐出すること、又は整流が確保された風（整流風）を、遠方に向かって送風すること、等を意図して、請求項１〜５を提供する。
【発明の効果】
【００１０】
請求項１の発明では、送風機の吐出口側には風胴を設けるとともに、風胴に静翼を設け、静翼の外郭体と、風胴の内面との間に空間を形成し、空間は、風胴に送り込まれた風の道として活用可能とするとともに、風の乱気流発生回避を可能とする静翼付き送風機の風胴と静翼構造であり、ファンの風を、静翼で整流することと、この風の風量が収束する風胴の内面に、抵抗物、例えば、従来の静翼の外郭体を無くし、ファンの風（風胴の内面と、その近傍の風、即ち、大きな送風量の風）を、効率的に、かつ整流を壊すことなく（乱気流の発生を無くし）、風胴より吐出できること、又は整流風を、遠方に向かって送風できること、等の特徴がある。
【００１１】
請求項２の発明では、静翼は、外郭体と、外郭体に設けた複数の静翼板とでなる静翼付き送風機の風胴と静翼構造であり、請求項１に記載の特徴を発揮するに最適な静翼構造を提供できる。この静翼板は、渦巻き形状であり、かつ軸方向（送風方向）に幅を備えていることを特徴度する。
【００１２】
請求項３の発明では、送風機の吐出口側に風胴を支持する構造は、送風機のガードに係止する支持具を、風胴の外面に設けるとともに、支持具の折曲り係止部が、風胴の放射方向に突出し、突出した係止部を、ガードの線材に係止、かつ支持可能とする静翼付き送風機の風胴と静翼構造であり、請求項１に記載の特徴を発揮するに最適な送風機と静翼付き風胴の構造を提供できる。ガードへの静翼の簡易かつワンタッチでの取付けができることを特徴とする。
【００１３】
請求項４の発明では、係止部を係止する線材は、ガードの最大外形寸法を備える静翼付き送風機の風胴と静翼構造であり、請求項３に記載の特徴を発揮するに最適な送風機と静翼付き風胴との取付け関係の構造を提供できる。ガードへの静翼の簡易かつワンタッチでの取付けができることを特徴とする。
【００１４】
請求項５の発明では、送風機を支持する吊り金具を、ガードに取付ける構造であって、送風機の重心位置にある線材に取付けるとともに、ガードの最大外形寸法の線材より、放射方向に突出する静翼付き送風機の風胴と静翼構造であり、請求項３に記載の特徴を発揮するに最適な送風機と静翼付き風胴との取付け関係の構造を提供できる。ガードへの静翼の安定的で、かつ簡易かつワンタッチでの取付けができることを特徴とする。
【図面の簡単な説明】
【００１５】
【図１】本発明の全体の正面図
【図２】本発明の全体の背面図
【図３】本発明の全体の平面図
【図４】本発明の全体の右側面図
【図５】本発明の全体の左側面図
【図６】本発明の風胴の正面図
【図７】本発明の風胴の背面図
【図８】本発明の風胴の平面図
【図９】本発明の支持具（取付け金具）の正面図
【図１０】本発明の支持具の平面図
【図１１】本発明の支持具の右側面図
【図１２】本発明の支持具の左側面図
【図１３】本発明を吊下げた一例の正面図
【発明を実施するための形態】
【００１６】
以下、本発明の好ましい一例を説明する。
【００１７】
図中１は送風機で、図１〜図５に示してある。その要部の構成は、モータ２と、このモータ２のフランジ（図示せず）に取付けられた線材で構成したガード３（保護網）と、モータ２の出力軸２００に支持したファン５とを主構成とする。ガード３のモータ側の環状線材３００が小径で、反モータ側の環状線材３０１が大径に構成されている。図中３０２はガード３の枠線材を示している。
【００１８】
送風機１による風の発生と、送風を説明すると、モータ２の駆動でファン５が回転すると、このファン５の回転で、風が発生する（起こる）。風は後方Ａ（モータ側）より前方Ｂ（吐出方向で、風胴側）に向かって送風される。図中６は、ガード３に設けた吊り金具で、本発明の重心位置にあるガード３の環状線材３０３に設けられるとともに、この線材３０３の放射方向に突設されている。図１３の如く、建屋Ｈ（ハウス、工場等）の梁等の躯体に金具６００を利用して、簡易に安心して取付けできること、又は水平に、安定設置ができる。
【００１９】
図中７は風胴で、この一例では環状（筒状）である。風胴７の内部（内面７ａ）には、数本の支持体８、８（ブラケット）を介して静翼１０が支持されている。また、この静翼１０は、この一例では環状（筒状）であり、風胴７より小径の環状（一例）の外郭体１０ａと、外郭体１０ａ内に数枚設けた渦巻き形状の静翼板１０ｂとで構成されている。
【００２０】
本発明では、風胴７の内面７ａには、環状空間１１を形成するようにして静翼１０が支持されており、この環状空間１１は内面７ａと静翼１０の外郭体１０ａとで形成された空間であり、かつ環状形状が相当する。この環状空間１１は、風速分布において、ファン５からの風量が最大に供給される領域であり、ここに環状空間１１の役割があり、かつこの環状空間１１が、ファン５の羽根の先部に位置していることに有効性がある。また、この環状空間１１の風胴７に占める位置と面積比にもあると考えられる。そして、望ましくは、ファン５の先端５ａに、静翼１０の外郭体１０ａが位置する構成として、支持体８で支持する。
【００２１】
風胴７の基端側７ｂ（ファン側）には複数の支持具１２が取付けられており、この支持具１２は、風胴７に固定する支持具本体１２ａと、支持具本体１２ａの先端に設けた折曲げ係止部１２ｂとで構成されており、この折曲げ係止部１２ｂが、例えば、大径のガード３の環状線材３０１に係止される。この係止で、送風機１に風胴７が、安定して取付けられるとともに、必要時には、環状線材３０１を押圧、及び／又は、折曲げ係止部１２ｂを反り返して、環状線材３０１から折曲げ係止部１２ｂを外すことで、離脱できる。
【００２２】
以下、本発明の風の流れを説明すると、ファン５が回転して、風が起こる（送風される）。送風は、風胴７の基端側７ｂから吐出側７ｃに向かって押出される（流れる）。この際に、風胴７の内面７ａには、障害物がなく、乱気流の発生がない。従って、送風がスムーズに流れることと、風速低下もなく、遠方への到達が期待できる。さらに、前述の如く、環状空間１１の存在で、ファン５からの風量が最大に供給される（この環状空間１１は、風胴７に送り込まれた風の道として活用できる）。これらの総合的な効果により、例えば、利用分野の拡充が図れる。また、この総合的な効果に併せて、従来のような騒音発生も少なく、利用分野の拡充が図れる。
【００２３】
前述した各構造・特徴等は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２４】
１  送風機
２  モータ
２００  出力軸
３  ガード
３００  線材
３０１  線材
３０２  線材
３０３  線材
５  ファン
５ａ  先端
６  吊り金具
６００  金具
７  風胴
７ａ  内面
７ｂ  基端側
７ｃ  吐出側
８  支持体
１０  静翼
１０ａ  外郭体
１０ｂ  静翼板
１１  環状空間
１２  支持具
１２ａ  支持具本体
１２ｂ  折曲げ係止部
【図１】
2016217306.tif 000003
【図２】
2016217306.tif 000004
【図３】
2016217306.tif 000005
【図４】
2016217306.tif 000006
【図５】
2016217306.tif 000007
【図６】
2016217306.tif 000008
【図７】
2016217306.tif 000009
【図８】
2016217306.tif 000010
【図９】
2016217306.tif 000011
【図１０】
2016217306.tif 000012
【図１１】
2016217306.tif 000013
【図１２】
2016217306.tif 000014
【図１３】
2016217306.tif 000015